(57)【特許請求の範囲】
【請求項１】
光ファイバネットワーク（１）用のイーサネットスイッチ（２）であって、
前記光ファイバ（１）において光信号を送信するように設計された第１の発光部（５ａ）と、
前記光ファイバ（１）からの光信号を電気信号に変換するように構成された第１の光検出器（４ａ）と、
端末（６）との電気信号の少なくとも１つの通信ポート（３）と、
前記発光部（５ａ）および前記第１の光検出器（４ａ）に電力を供給するように構成された電源回路（８）と、
を備え、
前記第１の光検出器（４ａ）による光信号および／または前記通信ポート（３）における電気信号の受信時に、電気ウェイクアップ信号を生成するように構成された前記第１の光検出器（４ａ）および前記通信ポート（３）に接続されたウェイクアップ回路（１０）であって、前記第１の発光部（５ａ）および前記通信ポート（３）の電力供給を引き起こすために前記電源回路（８）に接続される、ウェイクアップ回路（１０）を備えるとともに、
前記ウェイクアップ回路（１０）は、
前記光検出器（４）に接続された制御電極を有する第１のトランジスタ（Ｔ１）であって、前記光検出器（４）によって送信された電流が前記トランジスタ（Ｔ１）によって送達された電流を変化させるようにする、第１のトランジスタ（Ｔ１）と、
第１の抵抗（Ｒ４）に対応して前記第１のトランジスタ（Ｔ１）の出力と前記電源回路（８）との間に接続された第１のコンデンサ（Ｃ１）であって、前記トランジスタ（Ｔ１）によって送達された電流が前記電源回路（８）に対するウェイクアップ信号を形成する電流パルスを生成するようにする、第１のコンデンサ（Ｃ１）と、
を備えることを特徴とする、イーサネットスイッチ。
【請求項２】
前記電源回路（８）によって給電され、前記通信ポート（３）および前記光検出器（４）からの電気信号を処理し、かつ前記ポート（３）および前記発光部（５）に送られる前記電気信号を生成するように構成された処理回路（９）を備え、前記ウェイクアップ回路（１０）は、前記処理回路（９）の電力供給を引き起こすために前記電源回路（８）に接続されることを特徴とする、請求項１に記載のイーサネットスイッチ。
【請求項３】
前記ウェイクアップ回路（１０）は、前記第１のトランジスタ（Ｔ１）の出力と前記電源回路（８）との間に第１の直接接続（１２）を備えることを特徴とする、請求項１又は請求項２に記載のイーサネットスイッチ。
【請求項４】
光ファイバネットワーク（１）用のイーサネットスイッチ（２）であって、
前記光ファイバ（１）において光信号を送信するように設計された第１の発光部（５ａ）と、
前記光ファイバ（１）からの光信号を電気信号に変換するように構成された第１の光検出器（４ａ）と、
端末（６）との電気信号の少なくとも１つの通信ポート（３）と、
前記発光部（５ａ）および前記第１の光検出器（４ａ）に電力を供給するように構成された電源回路（８）と、
を備え、
前記第１の光検出器（４ａ）による光信号および／または前記通信ポート（３）における電気信号の受信時に、電気ウェイクアップ信号を生成するように構成された前記第１の光検出器（４ａ）および前記通信ポート（３）に接続されたウェイクアップ回路（１０）であって、前記第１の発光部（５ａ）および前記通信ポート（３）の電力供給を引き起こすために前記電源回路（８）に接続される、ウェイクアップ回路（１０）を備えるとともに、
前記ウェイクアップ回路（１０）は、
電気通信ポート（３）に接続された制御電極を有する第２のトランジスタ（Ｔ２）であって、前記通信ポート（３）に存在する電圧が前記トランジスタ（Ｔ２）によって送達された電流強度を変化させるようにする、第２のトランジスタ（Ｔ２）と、
第２の抵抗（Ｒ６）に対応して前記第２のトランジスタ（Ｔ２）の出力と前記電源回路（８）との間に接続された第２のコンデンサであって、前記第２のトランジスタ（Ｔ２）によって送達された電流が前記電源回路（８）に対するウェイクアップ信号を形成する電流パルスを生成するようにする、第２のコンデンサと、
を備えることを特徴とする、イーサネットスイッチ。
【請求項５】
前記ウェイクアップ回路（１０）は、前記第１のトランジスタ（Ｔ２）の出力と前記電源回路（８）との間に第２の直接接続（１３）を備えることを特徴とする、請求項４に記載のイーサネットスイッチ。
【請求項６】
前記ウェイクアップ回路（１０）は、さらに、
前記光検出器（４）に接続された制御電極を有する第１のトランジスタ（Ｔ１）であって、前記光検出器（４）によって送信された電流が前記トランジスタ（Ｔ１）によって送達された電流を変化させるようにする、第１のトランジスタ（Ｔ１）と、
第１の抵抗（Ｒ４）に対応して前記第１のトランジスタ（Ｔ１）の出力と前記電源回路（８）との間に接続された第１のコンデンサ（Ｃ１）であって、前記トランジスタ（Ｔ１）によって送達された電流が前記電源回路（８）に対するウェイクアップ信号を形成する電流パルスを生成するようにする、第１のコンデンサ（Ｃ１）と、
前記第１のトランジスタ（Ｔ１）の出力と前記電源回路（８）との間に第１の直接接続（１２）と、
を備え、
前記電源回路（８）は、前記第１の直接接続（１２）および前記第２の直接接続（１３）の双方が同時にロー状態にあるとき、前記電気通信ポート（３）および前記第１の発光部に給電しないように構成されることを特徴とする、請求項５に記載のイーサネットスイッチ。
【請求項７】
前記電源回路（８）は、前記第１の直接接続（１２）がロー状態にあるとき、前記電気通信ポート（３）および前記第１の発光部に給電しないように構成されることを特徴とする、請求項３に記載のイーサネットスイッチ。
【請求項８】
前記電源回路（８）は、前記第２の直接接続（１３）がロー状態にあるとき、前記電気通信ポート（３）および前記第１の発光部に給電しないように構成されることを特徴とする、請求項５に記載のイーサネットスイッチ。
【請求項９】
前記第２のトランジスタ（Ｔ２）の前記制御電極は、前記端末（６）から前記スイッチ（２）への信号の送信に使用される前記通信回線（Ｒｘ＋、Ｒｘ−）のコモンモードを抽出するように構成されたデバイスに接続されることを特徴とする、請求項４に記載のイーサネットスイッチ。
【発明の詳細な説明】
【技術分野】
【０００１】
本発明は、光ファイバネットワーク用のイーサネットスイッチに関する。
【背景技術】
【０００２】
現在、データ転送は主に、光ファイバに沿って移動する光信号の形態で行われている。光ファイバにより、非常に大量のデータを低減衰で転送させることが可能になる。
【０００３】
しかし、従来の方法では、コンピュータまたは他の通信機器は、光ファイバにおいて直接転送可能な光信号を送達していない。コンピュータは、銅線を介して転送する電気信号を送達する。
【０００４】
この電気信号を光信号に変換することは、スイッチによって一般に行われる。イーサネット環境では、光ファイバからの光データは、イーサネットスイッチによって受信され、このスイッチはデータを、たとえばコンピュータなどの数個のデバイスに送信する。イーサネットスイッチは相互化されている。同様に、数個のイーサネットスイッチは、単一光ファイバに接続され、したがって最大限利用可能なデータ量を転送することができる。
【０００５】
光信号がその送信器からその受信器に移動すると、この光信号は大量のイーサネットスイッチを介して転送する。この機構は非常に実用的であるが、かなり電力を消費するものでもあり、その重要性が限定されている。
【発明の概要】
【０００６】
本発明の目的は、従来技術のデバイスより低い消費電力量を示すメディアコンバータを提供することである。
【０００７】
この成果は、
光ファイバにおいて光信号を送信するように設計された第１の発光部と、
光ファイバからの光信号を電気信号に変換するように構成された第１の光検出器と、
端末との電気信号の少なくとも１つの通信ポートと、
発光部および第１の光検出器に給電するように構成された電源回路とを含むスイッチによって実現される傾向がある。
【０００８】
このスイッチは、第１の光検出器による光信号および／または通信ポートにおける電気信号の受信時に、電気ウェイクアップ信号を生成するように構成された第１の光検出器および通信ポートに接続されたウェイクアップ回路を含み、このウェイクアップ回路が、第１の発光部および通信ポートの給電を引き起こすために電源回路に接続されるという点で優れている。
【０００９】
他の利点および特徴は、非限定的な実施例の目的のみに提示され、添付の図面に示した本発明の特定の実施形態の以下の説明からより明白になるであろう。
【図面の簡単な説明】
【００１０】
【図１】直列に接続された３つのスイッチを含む光ファイバネットワークを模式的に示す図である。
【図２】２つの光ファイバおよび４つの電気通信回線に接続されたスイッチを模式的に示す図である。
【図３】ウェイクアップ回路の特定の実施形態を模式的に示す図である。
【図４】ウェイクアップ回路の別の特定の実施形態を模式的に示す図である。
【図５】ウェイクアップ回路の第３の特定の実施形態を模式的に示す図である。
【発明を実施するための形態】
【００１１】
図１は、光ファイバネットワーク１Ａ、１Ｂ、１Ｃおよび１Ｄを示しており、このネットワークは直列に接続された数個のイーサネットスイッチ２Ａ、２Ｂおよび２Ｃを含む。
【００１２】
それが光ファイバネットワークにおいて転送すると、光ファイバ１Ａからの光信号は、第１のイーサネットスイッチ２Ａに達し、次いで第１のイーサネットスイッチ２Ａを通過し、このスイッチは第２のイーサネットスイッチ２Ｂの方向に、光信号を次の光ファイバ１Ｂに再送信する。この構成では、スイッチ２は、着信光信号を検出してこの信号を処理し、かつ／または再送信するために、絶えず電源オン状態でなければならないことが観察できる。光信号は、たとえばスイッチ２Ｂに達し、そこで電気信号に変換されて電気信号の通信ポート３を介して端末に送られる。
【００１３】
有利な方法では、ポート３は、イーサネット接続の転送を認めるように構成される。ポート３は、たとえば８Ｐ８Ｃとも呼ばれるＲＪ４５コネクタである。
【００１４】
ネットワーク内の異なるデータの最適な転送を確実にするために、簡易な手法としてはスイッチ２の全ての機能性を継続的に満たすことにあることが観察できる。
【００１５】
図２に示したように、スイッチ２は数個の機能性に分けることができる。
【００１６】
従来の方法では、このスイッチは、第１の光検出器４ａを含んでおり、この光検出器は第１の光ファイバ１Ａからの光信号を検出するように構成される。第１の光検出器４ａは、光信号を電気信号に変換する。
【００１７】
スイッチ２はまた、第１の光ファイバ１Ａにおいて光信号を送信するように構成される第１の発光部５ａを含む。第１の発光部５ａは、電気信号を光信号に変換する。
【００１８】
第１の光検出器４ａおよび第１の発光部５ａは、制御回路６に接続されており、この回路は第１の光検出器４ａによって受信された信号を処理し、かつ第１の発光部５ａによって送信される信号を定義するように構成される。
【００１９】
スイッチ２はまた、ＲＪ４５標準コネクタによって実現することができる電気信号による１つ以上の通信ポート３を含む。例示のために、スイッチ２は、少なくとも１つの端末６に接続されており、この端末は１つ以上の通信ポート３を介するコンピュータおよび／またはカメラであり得る。
【００２０】
通信ポート３によって供給され、かつ／または受信されたデータは、制御回路７によって処理される。カメラによって撮像された画像は、たとえば最終ユーザに対して光ファイバを介して再送信され、このユーザは、たとえばカメラの動きを引き起こすデータを代わりに送り返すことができる。
【００２１】
さらに、スイッチ２は、電源回路８を含んでおり、この回路は電源および／または電源に接続されるように設計された電源端子８ａを含む。電源８は、第１の光検出器４ａ、第１の発光部５ａ、および制御回路７に電力を供給する。
【００２２】
例示した実施形態では、スイッチはさらに、第２の光ファイバ１Ｂに対応するように設計された第２の光検出器４ｂおよび第２の発光部５ｂを含む。この構成では、光信号が第１の光ファイバ１Ａから受信され、第２の光ファイバ１Ｂに再送信され、かつ／または逆も同様にすることができる。
【００２３】
制御回路７は、ポート３および光検出器４からの電気信号を処理し、かつポート３および発光部５に送られる電気信号を生成するように構成された処理回路９を含む。処理回路９は、電源回路８によって給電される。
【００２４】
イーサネットスイッチ２の消費量を抑える一方法は、このスイッチの特定の機能が停止される待機モードを提供することである。
【００２５】
スイッチ２が待機状態にあると、電気形態であろうと光学形態であろうと、信号は送られないであろう。それ故に、発光部５に電力を供給しないことが特に有利である。また、電気信号を送信するように構成された回路に給電しないことも可能である。一方、信号の受信に関与する回路および部品は、着信信号を検出するために電源オンにされる。処理回路９は、給電されないか、あるいは部分的に給電されてもよい。
【００２６】
特定の実施形態では、光信号および電気信号を分析してウェイクアップ段階に関与する、ウェイクアップ回路１０を提供することが有利である。
【００２７】
待機モードを終了するために、第１の光ファイバにおいて、第１のイーサネットスイッチ２にウェイクアップ光信号が送信される。ウェイクアップ光信号は、第１の光検出器４ａによって受信され、この光検出器はウェイクアップ電気信号を制御回路に送信する。ウェイクアップ信号を受信すると、制御回路７およびより具体的にはウェイクアップ回路１０は、電源回路８に命令して、発光部５ａおよび／または発光部５ｂならびに処理回路９にさらに給電する。
【００２８】
有利な方法では、発光部５ｂの新たな電力供給は、第２のスイッチに送られている第２の光ファイバ１Ｂにおいてウェイクアップ信号を送信することになり、結果として第２のスイッチ２Ｂのウェイクアップになる。
【００２９】
有利な実施形態では、ウェイクアップ信号は、送信されるデータの受信側に関する情報を含み、したがって制御回路７は、保留データがその受信側を対象にしているか否かを決定することができる。受信側に関するこの情報は、ウェイクアップ信号を次のスイッチ２に送ることを回避するが、このデータはその受信側を対象にしていない。
【００３０】
この実施形態は、スイッチ２が光ファイバへの３つ以上の接続からなるときに特に有利であり、これは光ファイバにおいてウェイクアップ信号を不必要に送信することを回避する。
【００３１】
この構成では、スイッチは、カスケードにウェイクアップする。
【００３２】
同様の方法では、制御回路７はまた、光検出器４が所定の期間光信号を検出しないとき、待機モードに関与するように構成されることも可能である。優先的な方法では、１マイクロ秒超、好ましくは３マイクロ秒超、有利には５マイクロ秒超で着信信号が受信されない場合に、待機モードに関与することができる。したがって、第１の光検出器４ａにおいて光信号を受信した後、制御回路７は、所定期間の秒読みを行う。秒読み後に、信号が制御回路７に送信されなかった場合、後者は待機モードに関与することができる。この機能性は、待機回路に組み込まれ、これはウェイクアップ回路１０または電源回路８で実行することができる。
【００３３】
この構成では、スイッチ２は、カスケードに待機モードに関与する。
【００３４】
端末６がネットワークを介して別の端末６とデータ交換を望むとき、この端末は異なる光ファイバ１においてそのデータを送信しなければならない。ネットワークへのこのアクセスは、イーサネットスイッチ２のウェイクアップに関与する。
【００３５】
有利な方法では、ウェイクアップ信号は、電気的接続を用いて端末６によって開始される。電気的接続は、端末６をイーサネットスイッチ２に接続し、かつより具体的にはポート３と接続する。有利な実施形態では、端末６によって送信されたウェイクアップ信号は、スイッチ、たとえばリレーまたはトランジスタを制御し、これは順に、発光部５を起動するか、あるいは光検出器４によって光信号の受信を促す。有利な方法では、ポート３は、ウェイクアップ回路１０に接続され、したがってポート３における電気信号の受信が上述したようなウェイクアップ段階を引き起こす。
【００３６】
また、端末６は、その通信を終了したときに、スイッチ２に通知するように提供することが有利である。スイッチ２が他の光信号を受信しない場合、このスイッチは、発光部５の電力供給を遮断することができる。発光部５が停止されると、もはや転送している信号は何もなく、スイッチ２は、カスケードに待機に切り替える。スイッチ２を待機に切り替えることは、受信中の信号がないことを全ての信号受信器が示す場合に実行される。
【００３７】
図３は、ウェイクアップ回路１０によるウェイクアップ光信号を検出する特定の実施形態を示す。
【００３８】
光検出器４は、光信号を代表電流に変換するように付勢される。例示した実施形態では、光検出器４は、フォトダイオードである。
【００３９】
光検出器４の第１の端子が、第１の電圧Ｖ１を印加する第１の電圧源に接続される。
【００４０】
光検出器４の第２の端子が、受信した電気信号を処理する制御回路７、およびより具体的には処理回路９に接続される。有利な方法では、光検出器４からの信号を形成し、かつ光検出器４を付勢するように、光検出器４と処理回路９との間にトランスインピーダンス増幅器１１が配置される。トランスインピーダンス増幅器は、電圧ＶＲＥＦを印加するように構成される。増幅器は、光検出器によって送達された電流信号を処理回路９によって論理的に処理される電圧信号に変換する。増幅器に負帰還モードで接続された抵抗を使用することにより、抵抗トランスインピーダンス増幅器型のデバイスを形成することが有利である。
【００４１】
スイッチ２は、ウェイクアップ回路１０を含んでおり、この回路は受信した光信号に応答して光検出器４によって送信された電気信号を検出するように構成される。ウェイクアップ回路１０は、受信した光信号を表す電気信号を検出するために光検出器と電圧源Ｖ１との間に接続される。ウェイクアップ回路１０は、光検出器４の第１の端子に接続される。
【００４２】
ウェイクアップ回路１０は、スイッチ２のウェイクアップを開始するデータを送信する。このデータは有利には、電源回路８に直接送信される。
【００４３】
光検出器４に接続された制御電極を有する第１のトランジスタＴ１を提供することが有利であり、したがって光検出器４によって送信された電流は、トランジスタＴ１によって送達された電流を修正する。それ故に、トランジスタＴ１の出力における信号は、受信された光信号に従って修正される。特定の実施形態では、光検出器によって信号が受信されるとすぐに、トランジスタは飽和に達し、したがってトランジスタの出力における信号は論理型、すなわち１または０の送達によるものである。受信された光信号は、トランジスタＴ１の出力における論理信号に変換される。
【００４４】
第１のトランジスタＴ１の出力と電源回路８との間で、第１の抵抗Ｒ４に対応して第１のコンデンサＣ１が接続され、したがってトランジスタＴ１によって送達された電流は電源回路８に対するウェイクアップ信号を形成する電流パルスを生成する。光検出器４による第１の光信号を受信すると、トランジスタＴ１によって送信された電流は結果として、ウェイクアップ信号を電源回路８に形成する電流パルスに変換される。
【００４５】
より詳細な実施形態では、ウェイクアップ回路１０は、第２の電圧源と第３の電圧源とに分圧されたトランジスタＴ１を含んでおり、これらの電圧源はそれぞれ、電圧Ｖ２および電圧Ｖ３に適合する。トランジスタＴ１の第１の端子は、第２の電圧源Ｖ２に接続され、トランジスタＴ１の第２の端子は第３の電圧源Ｖ３に接続される。
【００４６】
トランジスタＴ１の制御電極は、光検出器４に接続され、したがってトランジスタＴ１を流れる電流が光検出器４によって送信された電流に従って変化する。
【００４７】
第３の電圧源Ｖ３とトランジスタＴ１の第２の端子との間に、第２の抵抗Ｒ２が接続される。トランジスタＴ１の第２の端子は、第１のコンデンサＣ１によって第３の抵抗Ｒ３に接続される。第１のコンデンサＣ１の第１の端子が光検出器４に接続され、第１のコンデンサＣ１の第２の端子が第３の抵抗Ｒ３に接続される。
【００４８】
第３の抵抗Ｒ３は、第４の電圧源Ｖ４に接続される。
【００４９】
コンデンサＣ１の第２の端子および抵抗Ｒ３の端子は、電気ウェイクアップ命令を電源回路８に提供するためにこの電源回路に接続される。
【００５０】
有利な方法では、光検出器４の第２の端子またはコンデンサＣ１の第１の端子と電源回路８との間で接続１２が行われる。この接続により、受信された光信号を表す電気信号を電源回路１０に送ることが可能になる。
【００５１】
光検出器４の第１の端子は、抵抗Ｒ１によって有利に、電圧源Ｖ１に接続される。トランジスタＴ１の制御電極は、電圧源Ｖ１と光検出器４の他の端子との間に接続される。
【００５２】
この構成では、光検出器４によって検出された信号は、送信信号を表す電流を送信することになる。光検出器４によって送信された電流は、第１の抵抗Ｒ１を流れ、次にトランジスタＴ１によって送達された電流強度を修正する。
【００５３】
トランジスタＴ１によって、コンデンサＣ１および抵抗Ｒ３により形成されたアセンブリに送達された電流は、パルスを生成し、このパルスはスイッチ２のウェイクアップ信号として電源回路８によって検出される。
【００５４】
有利な方法では、トランジスタＴ１は、バイポーラトランジスタであり、そのベース電極が光検出器４に接続される。電流が光検出器を流れるとき、バイポーラトランジスタＴ１は飽和状態であるように提供することも有利である。このように、コレクタ電極は、第３の電圧値に近くなる。Ｒ１／Ｒ２の比およびトランジスタＴ１の電流利得は、検出された光パワー閾値を固定させ、それを超えるとトランジスタＴ１は飽和する。
【００５５】
閾値を超える振幅で光パワーが受信されると、光検出器によって送信された電流もまた、トランジスタＴ１を飽和させる閾値に達し、コンデンサＣ１によってパルスが送られ、回線１２はハイ状態に切り替える。回線１２は、受信された光パワーが閾値を超えるならば、ハイ状態のままである。このアセンブリにより、論理信号を受信した光信号から形成することを可能にする。この電気信号は、回路９に送られた信号とは異なる。
【００５６】
応用形として、電界効果トランジスタＴ１を使用することができる。
【００５７】
同じ電圧、たとえば電圧Ｖｃｃ（Ｖ１＝Ｖ２＝Ｖｃｃ）を送達するように構成された第１の電圧源および第２の電圧源を有することが特に有利である。この場合、抵抗Ｒ１は、第１の電圧源Ｖ１に対するプルアップ抵抗の働きをし、これは、トランジスタＴ１の漏れ電流を少なくとも部分的に無効にすることができる。
【００５８】
同じ電圧、たとえば接地（Ｖ３＝Ｖ４＝０）を送達するように構成された第３の電圧源および第４の電圧源を有することが特に有利である。
【００５９】
例示した実施形態では、トランジスタＴ１の第２の端子は、回線１２によって電源回路８に直接接続される。発光部に電力が供給されると、発光部は光パワーを発生させ、この電力は光検出器４によって読み込まれる。これは、光検出器４が光ファイバ１の活性化を表す電流を送信することになり、結果として回線１２において対応する信号を送信することになる。回線１２は、光ファイバが活性化されることをウェイクアップ回路および待機回路に示す。光ファイバがもはや活性化されないとき、回路８に対して回線１２によって送信された信号は変化する。待機回路は、スイッチまたはより具体的にはスイッチの一部の待機を開始することができ、これは不活性化した光ファイバと関連している。
【００６０】
この構成は、光信号がもはや受信されない場合に、制御回路が電力供給を遮断するように構成されるとき、スイッチ２における電力供給の管理に対して特に有利である。例示の事例では、ウェイクアップ回路は、待機回路の働きもする。応用形として、回線１２を待機回路に接続することが可能である。
【００６１】
一実施形態では、コンデンサＣ１および抵抗Ｒ３は使用されない。光検出器４は、光ファイバの活性化を検出し、ウェイクアップ信号は、飽和に達するトランジスタＴ１によって送信される。このように、光ファイバの活性化は結果として、回線１２の活性化およびスイッチのウェイクアップになる。光ファイバの不活性化は、回線１２の不活性化、および場合によりスイッチを待機モードにするという結果になる。
【００６２】
換言すれば、光検出器４によって信号が受信される限り、光検出器４は電流を送り、トランジスタＴ１も同様に行う。次に、電源回路８は、光検出器４の活性を表す信号を受信する。光信号が停止すると、光検出器４はもはや電流を送信せず、電気信号のこの欠如は、電源回路８によって受信され、これはスイッチを待機モードにすることができる。
【００６３】
しかし、光ファイバの活性化をより良く検出するために、抵抗Ｒ３およびコンデンサＣ１を使用することが特に有利である。これらの２つの構成部品は、状態変化が起こるとき、トランジスタＴ１によって送信された信号を形作り、ウェイクアップ回路によってより容易に検出可能な電流パルスを形成する。この場合、回線１２の不活性化を用いて、スイッチまたはスイッチの一部を待機モードにし始めることが常に有利である。
【００６４】
第１の抵抗Ｒ１および第２の抵抗Ｒ２の値を賢明に選択することによって、光検出器４の検出閾値を固定することが可能である。例示のために、トランジスタＴ１の飽和を引き起こす電流が約−２４ｄＢｍ（４μワット）の光検出器の検出閾値に対して得られる状態を実現するように、２２０Ｋオームの値を有する抵抗Ｒ１および１００Ｋオームの値を有する抵抗Ｒ２を使用することが可能である。この場合、１３１０ｎｍで０ｄＢｍの光パワーを送信することができる発光部、および−２４ｄＢｍの感度を有する光検出器によって、最大７０ｋｍの距離までＧ６５２単一モードファイバにおいて信号を送信することが可能である。
【００６５】
待機モードに関与すると、光検出器４の消費量は、その暗電流と等しく、これは非常に低い。また、着信電気信号の受信および処理を確実にすることと共に、処理回路９の電力供給を遮断してスイッチ２の消費量を減らすことも特に有利である。
【００６６】
図４に示した別の実施形態では、ウェイクアップ回路１０は、電気信号による通信ポート３のうちの１つとの接続を含む。
【００６７】
ウェイクアップ回路１０は、たとえばポート３によって形成されたウェイクアップ信号の第１の受信入力を含む。この第１の入力は、第４の抵抗Ｒ４によって第５の電圧Ｖ５に接続される。
【００６８】
第２のトランジスタＴ２が、第６の電圧源Ｖ６と第７の電圧源Ｖ７とに分圧される。第２のトランジスタＴ２の制御電極は、第１の入力に接続される。トランジスタＴ２の第１の端子は、第６の電圧源Ｖ６に接続される。このトランジスタの第２の端子は、第５の抵抗Ｒ５によって第７の電圧源Ｖ７に接続される。
【００６９】
トランジスタＴ２の第２の端子は、第２のコンデンサＣ２によって第６の抵抗Ｒ６に接続される。コンデンサＣ２の第１の端子が、トランジスタＴ２の第２の端子に接続される。コンデンサＣ２の第２の端子は、第６の抵抗Ｒ６および電源回路に接続される。トランジスタＴ２の動作は有利には、１または０型の論理信号を出力に提供するために、トランジスタＴ１の動作と同一である。
【００７０】
第６の抵抗Ｒ６は、第８の電圧源Ｖ８に接続される。
【００７１】
有利な方法では、トランジスタＴ２の第２の端子は、回線１３によって電源回路８に直接接続される。
【００７２】
端末６によってデータ送信が行われると、第１の入力端子は、電圧Ｖ５、たとえば接地とは異なる所定の電圧で配置される。次に、電流が第４の抵抗Ｒ４を流れる。第２のトランジスタＴ２の制御端子に適用された条件が変化すると、トランジスタＴ２の第２の端子に電流が発生する。
【００７３】
トランジスタＴ２によって生じたこの電流は、第２のコンデンサＣ２を充電し、このコンデンサは第６の抵抗Ｒ６に対応して、スイッチのウェイクアップ信号として電源回路８によって検出されるパルスを生成する。このパルスは、電気ウェイクアップ信号を表しており、この信号は端末６が光ファイバを介してデータを送信するのを望むことを電源回路８に示す。信号が検出されると、電源回路８は、スイッチ２のウェイクアップに関与する。
【００７４】
トランジスタＴ２は有利には、バイポーラトランジスタであり、そのベース電極が第１の入力端子に接続される。また、トランジスタＴ２の飽和を引き起こすために第４の抵抗Ｒ４を介して輸送する電流を提供することも有利であり、したがってコレクタ電極に存在する電圧が第５の電圧に近づく。応用形として、電界効果トランジスタを使用することも可能である。
【００７５】
電圧Ｖ５および電圧Ｖ６が同一である場合、抵抗Ｒ４は、電圧Ｖ５に対するプリダウン抵抗の働きをし、トランジスタＴ２の漏れ電流を少なくとも部分的に無効にする。
【００７６】
抵抗Ｒ４および抵抗Ｒ５の値を調整することによって、ウェイクアップパルス信号の生成を引き起こす電流検出閾値を調整することが可能である。
【００７７】
第２のトランジスタＴ２と電源回路８との間の直接接続１３の使用は、電源回路８が端末６によって送られた信号に従ってスイッチの異なる機能性の電力供給を管理するように構成されるときに特に有利である。回線１３の動作モードは、回線１２に対して記述したものと同一である。コンデンサＣ２および抵抗Ｒ６によって形成されるＲＣ回路に対しても同様であり、この回路も有利には、コンデンサＣ１および抵抗Ｒ３によって形成されるＲＣ回路と同じである。
【００７８】
端末６がスイッチ２にデータを送る限り、第１の入力端子は、所定の電圧において平均であり、トランジスタＴ２は電流を送る。トランジスタＴ２と電源回路８との間の直接接続は、ユーザからのデータ転送を表すハイ状態にある。平均値は、数ミリ秒、たとえば１ミリ秒、有利に２から５ミリ秒の時間基準で計算される。
【００７９】
データフローが停止すると、トランジスタＴ２はもはや電流を送信せず、トランジスタＴ２と制御回路との間の直接接続はロー状態に切り替える。電源回路８は、状態の変化を検出し、スイッチ２を待機モードに切り替え始めることができる。
【００８０】
電源回路８は有利には、第１の直接接続１２および第２の直接接続１３がロー状態にあるとき、電気通信ポート３および第１の発光部に給電しないように構成される。
【００８１】
図５に示した特定の実施形態では、第１の入力端子は、Ｒｘ＋およびＲｘ−によって表した受信信号の転送線を結び付けるコイルに接続される。それ故に、この端末によってデータが送信される限り、第１の入力端子は所定の電圧である。データ送信が停止すると、第１の入力端子の電圧は変化し、制御回路はデータ送信の停止を検出することができる。この実施形態は、Ｒｘ＋およびＲｘ−によって実現されたケーブルの通信ペアのコモンモードによってウェイクアップ信号を転送させることが特に有利である。信号Ｒｘ＋および信号Ｒｘ−を受信する金属線によってウェイクアップ信号を転送させる利点は、光ポートが活性であるときに、光パワーを送信する光ポートに活性の検出を示すことである。
【００８２】
この場合、専用のウェイクアップ信号の転送用に追加の通信チャネルを使用することは必要ではない。
【００８３】
有利な実施形態では、端末とスイッチとの間のＲＪ４５ケーブルの通信ペアのコモンモードを用いて、特定のウェイクアップ信号を転送させることが有利である。
【００８４】
この場合、ウェイクアップ信号は、通信ペアＴｘ＋およびＴｘ−に入力され、端末に転送し、そこでこの信号は、たとえば先の実施形態に従って、通信ペアＲｘ＋およびＲｘ−において分離される。
【００８５】
この場合、端末６からスイッチ２に信号を送信するのに使用される通信回線Ｒｘ＋およびＲｘ−のコモンモードを抽出するように構成されたデバイスに接続される、第２のトランジスタＴ２の制御電極を提供することが有利である。
【図１】
0006685310.tif 000002
【図２】
0006685310.tif 000003
【図３】
0006685310.tif 000004
【図４】
0006685310.tif 000005
【図５】
0006685310.tif 000006